(57)【要約】【課題】  ユーザーが所望のデバイスを直感的に選択してモバイル端末装置に登録できるようにする。【解決手段】  デバイス登録プログラム１６ａは、モバイル端末装置１内の演算処理装置１７を、以下の処理部２１〜２４として機能させる。デバイス検出部２１は、モバイル端末装置１と通信可能な画像形成装置２を検出し、指定デバイス特定部２２は、モバイル端末装置１の位置情報および向き情報並びに検出された各画像形成装置２の位置情報に基づいて、モバイル端末装置１の向きによって指定されている画像形成装置２を特定し、表示制御部２３は、検出された画像形成装置２の機種を示すアイコンのリストにて、特定された画像形成装置２のアイコンを他とは異なる態様で表示させ、デバイス登録部２４は、特定されたその画像形成装置２を登録する。【選択図】  図２
2015170051.tif 000002
【特許請求の範囲】
【請求項１】
デバイスのドライバーをインストールされるモバイル端末装置内のコンピューターを、
前記モバイル端末装置と通信可能な１または複数のデバイスを検出するデバイス検出部、
前記モバイル端末装置に内蔵されている位置検出装置および方向検出装置を使用して、前記モバイル端末装置の位置情報および向き情報を取得し、前記モバイル端末装置に内蔵されている無線通信装置を使用して、前記１または複数のデバイスから、前記１または複数のデバイスの位置情報を取得し、前記モバイル端末装置の位置情報および向き情報並びに前記１または複数のデバイスの位置情報に基づいて、前記１または複数のデバイスのうち、ユーザーによる前記モバイル端末装置の向きによって指定されているデバイスを特定する指定デバイス特定部、
前記モバイル端末装置の表示装置に、検出された前記１または複数のデバイスの機種を示す１または複数のアイコンを含むリストを表示させ、前記リストにおいて、前記指定デバイス特定部により特定されたデバイスに対応するアイコンを、残りの他のアイコンとは異なる態様で表示させる表示制御部、並びに
前記指定デバイス特定部により特定されたデバイスを登録するデバイス登録部、
として機能させるデバイス登録プログラム。
【請求項２】
前記指定デバイス特定部は、前記モバイル端末装置の位置情報および前記１または複数のデバイスの位置情報から、前記モバイル端末装置から前記１または複数のデバイスへの方角を特定し、前記特定した方角のうち、前記モバイル端末装置の向き情報による前記モバイル端末装置の向きに最も近い方角のデバイスを、前記ユーザーによる前記モバイル端末装置の向きによって指定されているデバイスとして特定することを特徴とする請求項１記載のデバイス登録プログラム。
【請求項３】
前記指定デバイス特定部は、前記モバイル端末装置の向き情報を繰り返し取得し、前記モバイル端末装置の向きの変化を検出した場合、前記モバイル端末装置の位置情報および向き情報並びに前記１または複数のデバイスの位置情報に基づいて、前記１または複数のデバイスのうち、前記ユーザーによる前記モバイル端末装置の向きによって指定されているデバイスを再度特定することを特徴とする請求項１記載のデバイス登録プログラム。
【請求項４】
前記指定デバイス特定部は、前記ユーザーによる前記モバイル端末装置の向きによって指定されているデバイスが変更されたことを検出し、
前記表示制御部は、前記指定されているデバイスの変更に合わせて、前記リスト内で、異なる態様で表示させるアイコンを変更すること、
を特徴とする請求項３記載のデバイス登録プログラム。
【請求項５】
前記デバイス登録部は、前記ユーザーによる前記モバイル端末装置の向きによって指定されているデバイスが変更されずに所定時間経過したときに、前記ユーザーによる前記モバイル端末装置の向きによって指定されているデバイスを登録することを特徴とする請求項３記載のデバイス登録プログラム。
【請求項６】
前記表示制御部は、前記指定デバイス特定部により特定されたデバイスに対応するアイコンを拡大して表示させることを特徴とする請求項１から請求項５のうちのいずれか１項記載のデバイス登録プログラム。
【発明の詳細な説明】
【技術分野】
【０００１】
本発明は、デバイス登録プログラムに関するものである。
【背景技術】
【０００２】
ある端末装置が特定のデバイスを使用する場合、事前に、その端末装置に、そのデバイスの機種用のドライバーをインストールし、その特定のデバイスに固有の識別情報を指定して、インストールされたドライバーがその特定のデバイスを識別可能な状態にする必要がある。
【０００３】
あるシステムでは、プリンターが、ＲＦＩＤ（Radio Frequency IDentification）リーダーでＲＦＩＤカードから読み取った情報に基づいて、プリンタードライバーおよびネットワーク設定情報をメールに添付して利用者のパーソナルコンピューターへ送信し、パーソナルコンピューターは、そのメールを受信し、プリンタードライバーをインストールし、ネットワーク設定情報に従ってプリンタードライバーのセットアップを行っている（例えば特許文献１参照）。
【先行技術文献】
【特許文献】
【０００４】
【特許文献１】特開２００５−１７００００号公報
【発明の概要】
【発明が解決しようとする課題】
【０００５】
しかしながら、上述のシステムでは、プリンターが１台であれば、セットアップされたプリンタードライバーによって使用可能となったプリンター（つまりセットアップにより登録されたプリンター）をユーザーが特定可能であるが、複数のプリンターが存在する場合、ユーザーは、セットアップされたプリンタードライバーによって使用可能となったプリンターが、存在する複数のプリンターのうちのどのプリンターであるかを特定するためには、セットアップ時に指定したプリンターの識別情報と、存在する複数のプリンターの識別情報とを照合しなければならない。
【０００６】
本発明は、上記の問題に鑑みてなされたものであり、ユーザーが、複数のデバイスが存在しても、デバイスの識別情報を把握する必要なく、ユーザー所望のデバイスを直感的に選択してモバイル端末装置に登録することができるデバイス登録プログラムを得ることを目的とする。
【課題を解決するための手段】
【０００７】
本発明に係るデバイス登録プログラムは、デバイスのドライバーをインストールされるモバイル端末装置内のコンピューターを、前記モバイル端末装置と通信可能な１または複数のデバイスを検出するデバイス検出部、前記モバイル端末装置に内蔵されている位置検出装置および方向検出装置を使用して、前記モバイル端末装置の位置情報および向き情報を取得し、前記モバイル端末装置に内蔵されている無線通信装置を使用して、前記１または複数のデバイスから、前記１または複数のデバイスの位置情報を取得し、前記モバイル端末装置の位置情報および向き情報並びに前記１または複数のデバイスの位置情報に基づいて、前記１または複数のデバイスのうち、ユーザーによる前記モバイル端末装置の向きによって指定されているデバイスを特定する指定デバイス特定部、前記モバイル端末装置の表示装置に、検出された前記１または複数のデバイスの機種を示す１または複数のアイコンを含むリストを表示させ、前記リストにおいて、前記指定デバイス特定部により特定されたデバイスに対応するアイコンを、残りの他のアイコンとは異なる態様で表示させる表示制御部、並びに前記指定デバイス特定部により特定されたデバイスを登録するデバイス登録部として機能させる。
【発明の効果】
【０００８】
本発明によれば、ユーザーが、複数のデバイスが存在しても、デバイスの識別情報を把握する必要なく、ユーザー所望のデバイスを直感的に選択してモバイル端末装置に登録することができる。
【図面の簡単な説明】
【０００９】
【図１】図１は、本発明の実施の形態に係るデバイス登録プログラムをインストールされたモバイル端末装置を含む画像形成システムの構成を示すブロック図である。
【図２】図２は、図１におけるモバイル端末装置１の構成を示すブロック図である。
【図３】図３は、図１における画像形成装置２の構成を示すブロック図である。
【図４】図４は、図１に示すシステムにおけるモバイル端末装置１の動作について説明するフローチャートである。
【図５】図５は、図１におけるモバイル端末装置１において表示されるアイコンリストの一例を示す図である。
【図６】図６は、図５に示すアイコンリストにおいて、指定デバイス特定部２２により特定された画像形成装置２に対応するアイコンが拡大表示されている状態の一例を示す図である。
【図７】図７は、図１におけるモバイル端末装置１において表示される設定画面の一例を示す図である。
【発明を実施するための形態】
【００１０】
以下、図に基づいて本発明の実施の形態を説明する。
【００１１】
図１は、本発明の実施の形態に係るデバイス登録プログラムをインストールされたモバイル端末装置を含む画像形成システムの構成を示すブロック図である。
【００１２】
図１に示すシステムでは、スマートフォン、タブレット型パーソナルコンピューターなどのモバイル端末装置１が、無線ＬＡＮ（Local Area Network）、ブルートゥース（商標）などの無線通信で、１または複数の画像形成装置２に接続可能となっており、特定の機種用のデバイスドライバーを使用して、モバイル端末装置１に登録された画像形成装置２へ、印刷要求、ファクシミリ送信要求などの出力指示を無線通信で送信できる。
【００１３】
画像形成装置２は、プリンター、ファクシミリ機、複合機などの画像出力機能を有するデバイスであって、画像出力機能でモバイル端末装置１からの出力指示に基づく画像の出力（印刷、送信など）を行うとともに、モバイル端末装置１からの、当該画像形成装置２の位置情報の送信要求を受け付けると、モバイル端末装置１へ当該画像形成装置２の位置情報を送信する。
【００１４】
図２は、図１におけるモバイル端末装置１の構成を示すブロック図である。
【００１５】
モバイル端末装置１は、無線通信装置１１、表示装置１２、入力装置１３、ＧＰＳ装置１４、方向検出装置１５、記憶装置１６、演算処理装置１７、および撮像装置１８を備える。
【００１６】
無線通信装置１１は、例えば無線ＬＡＮインタフェースであって、所定の無線通信規格の通信回路であり、画像形成装置２との間で直接的または間接的に通信を行う。
【００１７】
表示装置１２は、モバイル端末装置１の筐体に配置されている液晶ディスプレイなどの装置であって、各種画面をユーザーに対して表示する。
【００１８】
入力装置１３は、表示装置１２上に配置されたタッチパネルなどの装置であって、ユーザー操作を検出する装置である。
【００１９】
ＧＰＳ装置１４は、ＧＰＳ（Global Positioning System）で、当該ＧＰＳ装置１４、つまりモバイル端末装置１の絶対位置（緯度、経度、および高度）を特定する位置検出装置である。
【００２０】
方向検出装置１５は、ジャイロセンサー、電子コンパスなどを有し、モバイル端末装置１の姿勢（向き）を検出する装置である。
【００２１】
記憶装置１６は、フラッシュメモリーなどの不揮発性の記憶装置であり、プログラムおよびデータを記憶している。記憶装置１６は、デバイス登録プログラム１６ａを記憶している。デバイス登録プログラム１６ａは、モバイル端末装置１にインストールされる画像形成装置２用のデバイスドライバーに関して、特定の画像形成装置２の設定情報を特定し格納するためのプログラムである。
【００２２】
演算処理装置１７は、ＣＰＵ（Central Processing Unit）、ＲＯＭ（Read Only Memory）、ＲＡＭ（Random Access Memory）などを有するコンピューターであって、記憶装置１６やＲＯＭからＲＡＭにプログラムをロードしてＣＰＵで実行して、各種処理部を実現する。
【００２３】
この実施の形態では、演算処理装置１７において、デバイス登録プログラム１６ａが実行されることにより、デバイス検出部２１、指定デバイス特定部２２、表示制御部２３、およびデバイス登録部２４が実現される。
【００２４】
デバイス検出部２１は、モバイル端末装置１と通信可能な１または複数の画像形成装置２を無線通信装置１１で検出する。例えば、フロアごとに無線ＬＡＮが構成され、モバイル端末装置１の所在するフロアの無線ＬＡＮに属しかつ電源オン状態の画像形成装置２が、デバイス検出部２１によって検出される。
【００２５】
デバイス検出部２１は、検出した画像形成装置２のネットワーク識別情報（ＩＰアドレス、ＭＡＣ（Media Access Control）アドレス、ＵＲＬ（Uniform Resource Locator）など）および機種情報を取得する。なお、機種情報については、ＳＮＭＰ（Simple Network Management Protocol）などで画像形成装置２から取得される。
【００２６】
指定デバイス特定部２２は、（ａ）モバイル端末装置１に内蔵されているＧＰＳ装置１４および方向検出装置１５を使用して、モバイル端末装置１の位置情報および向き情報を取得し、（ｂ）モバイル端末装置１に内蔵されている無線通信装置１１を使用して、１または複数の画像形成装置２から、１または複数の画像形成装置２の位置情報を取得し、（ｃ）モバイル端末装置１の位置情報および向き情報並びに１または複数の画像形成装置２の位置情報に基づいて、１または複数の画像形成装置２のうち、ユーザーによるモバイル端末装置１の向きによって指定されている画像形成装置２を特定する。
【００２７】
つまり、ユーザーは、モバイル端末装置１を、そのユーザーが登録したい画像形成装置２へ向け、指定デバイス特定部２２は、その画像形成装置２を特定する。
【００２８】
具体的には、指定デバイス特定部２２は、（ａ）モバイル端末装置１の位置情報および１または複数の画像形成装置２の位置情報から、モバイル端末装置１から１または複数の画像形成装置２への方角を特定し、（ｂ）特定した方角のうち、モバイル端末装置１の向き情報によるモバイル端末装置１の向きに最も近い方角の画像形成装置２を、上述のユーザーによるモバイル端末装置１の向きによって指定されている画像形成装置２として特定する。
【００２９】
また、この実施の形態では、指定デバイス特定部２２は、（ａ）モバイル端末装置１の向き情報を繰り返し取得し、（ｂ）モバイル端末装置１の向きの変化を検出した場合、モバイル端末装置１の位置情報および向き情報並びに１または複数の画像形成装置２の位置情報に基づいて、ユーザーによるモバイル端末装置１の向きによって指定されている画像形成装置２を再度特定する。つまり、モバイル端末装置１の向きの変化が検出された場合、指定デバイス特定部２２により特定されている画像形成装置２が更新される。
【００３０】
表示制御部２３は、（ａ）モバイル端末装置１の表示装置１２に、検出された１または複数の画像形成装置２の機種を示す１または複数のアイコンを含むリストを表示させ、（ｂ）そのリストにおいて、指定デバイス特定部２２により特定されたデバイスに対応するアイコンを、残りの他のアイコンとは異なる態様で表示させる。
【００３１】
なお、アイコンの画像データは、機種情報に関連付けてモバイル端末装置１の記憶装置１６に予め格納されているようにしてもよいし、検出された画像形成装置２からその画像形成装置２の機種に対応するアイコンの画像データを取得するようにしてもよい。
【００３２】
この実施の形態では、指定デバイス特定部２２は、上述のようにして、ユーザーによるモバイル端末装置１の向きによって指定されている画像形成装置２が変更されたことを検出し、表示制御部２３は、指定されている画像形成装置２の変更に合わせて、上述のアイコンリスト内で、異なる態様で表示させるアイコンを変更する。
【００３３】
この実施の形態では、表示制御部２３は、上述のアイコンリスト内で、指定デバイス特定部２２により特定された画像形成装置２に対応するアイコンだけを拡大して、拡大したアイコンを他のアイコンとは異なる態様として表示させる。
【００３４】
なお、この実施の形態では、他のアイコンとは異なる態様として、拡大したアイコンが表示されるが、その代わりに、リスト内で、指定デバイス特定部２２により特定された画像形成装置２に対応するアイコンだけを点滅表示させたり、表示色を変更させたりするようにしてもよい。例えば、特定された画像形成装置２のアイコンだけをカラー表示させ、残りのアイコンをグレー表示させるようにしてもよい。
【００３５】
デバイス登録部２４は、指定デバイス特定部２２により特定された画像形成装置２をモバイル端末装置１において登録する。具体的には、デバイス登録部２４は、ユーザーによって入力された画像形成装置２の名称、デバイス検出部２１で取得されたネットワーク識別情報、および機種情報を、画像形成装置２のデバイスドライバーのための設定情報として記憶装置１６に格納する。これにより、画像形成装置２がこのモバイル端末装置１に登録される。
【００３６】
この実施の形態では、デバイス登録部２４は、ユーザーによるモバイル端末装置１の向きによって指定されている画像形成装置２が変更されずに所定時間（例えば５秒）経過したときに、ユーザーによるモバイル端末装置１の向きによって指定されている画像形成装置２を登録する。つまり、ユーザーが、モバイル端末装置１を、登録したい画像形成装置２に向けて、そのまま所定時間動かさずにいると、その画像形成装置２がデバイス登録部２４によって登録される。
【００３７】
図３は、図１における画像形成装置２の構成を示すブロック図である。
【００３８】
画像形成装置２は、通信装置３１、ＧＰＳ装置３２、演算処理装置３３、印刷装置３４、画像読取装置３５、ファクシミリ装置３６などを備える。
【００３９】
通信装置３１は、ネットワークインターフェイスなどであって、有線ネットワークおよび／または無線ネットワークを介して、モバイル端末装置１とデータ通信を行う装置である。
【００４０】
ＧＰＳ装置３２は、当該画像形成装置２の現在位置を検出する装置である。
【００４１】
演算処理装置３３は、ＣＰＵ、ＲＯＭ、およびＲＡＭを有するコンピューターであって、ＲＯＭや図示せぬ記憶装置に記憶されているプログラムをＲＡＭにロードしてＣＰＵで実行することにより、各種処理部を形成する。
【００４２】
演算処理装置３３では、コントローラー４１、位置特定部４２、および要求受付部４３が実現される。
【００４３】
コントローラー４１は、印刷装置３４、画像読取装置３５、ファクシミリ装置３６などの内部装置を制御して、各種処理を実行する。
【００４４】
なお、印刷装置３４は、モバイル端末装置１から受信されるドキュメントデータに基づく画像などを印刷する。画像読取装置３５は、原稿から原稿画像を光学的に読み取り、その原稿画像の画像データを生成する。ファクシミリ装置３６は、モバイル端末装置１から受信されるドキュメントデータに基づく画像などのファクシミリ信号を生成し送信するとともに、外部からファクシミリ信号を受信しそのファクシミリ信号から画像を生成する。
【００４５】
位置特定部４２は、ＧＰＳ装置３２を使用して、当該画像形成装置２の現在位置情報を取得する。
【００４６】
なお、実施の形態１では、画像形成装置２がＧＰＳ装置３２を有しているが、画像形成装置２がＧＰＳ装置３２を有していない場合、図示せぬ記憶装置に予め、画像形成装置２の位置情報を記憶させておき、位置特定部４２は、その記憶装置からその位置情報を、当該画像形成装置２の現在位置情報として読み出すようにしてもよい。
【００４７】
要求受付部４３は、出力指示、位置情報の送信要求などの各種要求を受け付け、位置情報の送信要求については、位置特定部４２により取得された当該画像形成装置２の現在位置情報を応答として送信し、出力指示については、コントローラー４１に出力指示を渡し、出力指示により指定された処理を実行させる。
【００４８】
次に、上記システムにおけるモバイル端末装置１の動作について説明する。図４は、図１に示すシステムにおけるモバイル端末装置１の動作について説明するフローチャートである。
【００４９】
まず、ユーザー操作に従ってデバイス登録プログラムの実行が開始されると、デバイス検出部２１は、モバイル端末装置１と通信可能な１または複数の画像形成装置２を無線通信装置１１で検出し（ステップＳ１）、表示制御部２３は、表示装置１２に、検出された１または複数の画像形成装置２のアイコンリストを表示させる（ステップＳ２）。図５は、図１におけるモバイル端末装置１において表示されるアイコンリストの一例を示す図である。図５に示す例では、６台の画像形成装置２が検出され、６個のアイコンを含むアイコンリストが表示されている。
【００５０】
少なくとも１台の画像形成装置２が検出されると、指定デバイス特定部２２は、（ａ）ＧＰＳ装置１４および方向検出装置１５を使用して、モバイル端末装置１の位置情報および向き情報を取得し、（ｂ）無線通信装置１１を使用して、検出された１または複数の画像形成装置２から、１または複数の画像形成装置２の位置情報を取得する。
【００５１】
そして、指定デバイス特定部２２は、モバイル端末装置１の位置情報および向き情報並びに１または複数の画像形成装置２の位置情報に基づいて、１または複数の画像形成装置２のうち、現時点のモバイル端末装置１の向きによって指定されている画像形成装置２を特定する（ステップＳ３）。
【００５２】
表示制御部２３は、アイコンリストにおいて、指定デバイス特定部２２により特定された画像形成装置２に対応するアイコンを、残りの他のアイコンのサイズより大きいサイズのアイコンで表示させる（ステップＳ４）。
【００５３】
図６は、図５に示すアイコンリストにおいて、指定デバイス特定部２２により特定された画像形成装置２に対応するアイコンが拡大表示されている状態の一例を示す図である。例えば図６に示すように、検出された画像形成装置２のうちの、モバイル端末装置１の上部が向いている方向に位置する画像形成装置２ａが、指定デバイス特定部２２により特定され、アイコンリスト内の画像形成装置２ａに対応するアイコン１０１が拡大表示される。
【００５４】
アイコン１０１が拡大表示されると、指定デバイス特定部２２は、所定時間を計時するタイマーをセットし（ステップＳ５）、（ａ）モバイル端末装置１の向き情報を繰り返し取得し、モバイル端末装置１の向きの変化および上述の所定時間が経過したか否かを監視する（ステップＳ６，Ｓ７）。
【００５５】
指定デバイス特定部２２は、所定時間経過前に所定角度以上のモバイル端末装置１の向きの変化を検出した場合、ステップＳ３に戻り、モバイル端末装置１の位置情報および向き情報並びに１または複数の画像形成装置２の位置情報に基づいて、ユーザーによるモバイル端末装置１の向きによって指定されている画像形成装置２を再度特定する（ステップＳ３）。そして、指定デバイス特定部２２により特定されている画像形成装置２が変化した場合、表示制御部２３は、アイコンリスト内で、指定デバイス特定部２２により新たに特定された画像形成装置２のアイコンを他のアイコンより大きく表示させ（ステップＳ４）、指定デバイス特定部２２は、タイマーをリセットし、所定時間の計時を再度開始させる（ステップＳ５）。
【００５６】
このようにすることで、ユーザーは、手にしているモバイル端末装置１の向きを、デバイス登録したい画像形成装置２に向けると、その画像形成装置２のアイコンが拡大表示される。そして、ユーザーは、拡大表示されたアイコンに対応する機種で、現在選択されている画像形成装置２を確認することができる。
【００５７】
一方、所定時間の経過が検出されると、指定デバイス特定部２２は、現在特定している画像形成装置２を、登録対象の画像形成装置２として確定し、表示制御部２３は、設定画面を表示装置１２に表示させる（ステップＳ８）。図７は、図１におけるモバイル端末装置１において表示される設定画面の一例を示す図である。図７に示す設定画面は、登録対象の画像形成装置２に付す、ユーザー所望の名称を入力するための画面である。名称の入力には、例えば図示せぬソフトウェアキーボードが使用される。
【００５８】
そして、デバイス登録部２４は、登録対象の画像形成装置２に関する設定情報（画像形成装置２の名称、ネットワーク識別情報、機種情報など）を、登録対象の画像形成装置２のデバイスドライバーに関連付けて格納する（ステップＳ９）。
【００５９】
以上のように、上記実施の形態によれば、デバイス登録プログラム１６ａは、画像形成装置２のドライバーをインストールされるモバイル端末装置１内の演算処理装置１７を、デバイス検出部２１、指定デバイス特定部２２、表示制御部２３、およびデバイス登録部２４として機能させる。デバイス検出部２１は、モバイル端末装置１と通信可能な画像形成装置２を検出する。指定デバイス特定部２２は、ＧＰＳ装置１４および方向検出装置１５を使用して、モバイル端末装置１の位置情報および向き情報を取得し、無線通信装置１１を使用して、画像形成装置２から、画像形成装置２の位置情報をそれぞれ取得し、モバイル端末装置１の位置情報および向き情報並びに画像形成装置２の位置情報に基づいて、画像形成装置２のうち、ユーザーによるモバイル端末装置１の向きによって指定されている画像形成装置２を特定する。表示制御部２３は、表示装置１２に、検出された画像形成装置２の機種を示すアイコンのリストを表示させ、そのリストにおいて、指定デバイス特定部２２により特定された画像形成装置２に対応するアイコンを、残りの他のアイコンとは異なる態様で表示させる。デバイス登録部２４は、指定デバイス特定部２２により特定された画像形成装置２を登録する。
【００６０】
これにより、登録可能な画像形成装置２が複数存在しても、ユーザーが、画像形成装置２の識別情報を把握する必要なく、ユーザー所望の画像形成装置２を直感的に選択してモバイル端末装置１に登録することができる。
【００６１】
なお、上述の実施の形態は、本発明の好適な例であるが、本発明は、これらに限定されるものではなく、本発明の要旨を逸脱しない範囲において、種々の変形、変更が可能である。
【００６２】
例えば、上記実施の形態では、モバイル端末装置１に画像形成装置２を登録しているが、他の種類のデバイスを登録するようにしてもよい。
【産業上の利用可能性】
【００６３】
本発明は、例えば、デバイスドライバーのインストーラープログラムに適用可能である。
【符号の説明】
【００６４】
１  モバイル端末装置
２  画像形成装置（デバイスの一例）
１１  無線通信装置
１２  表示装置
１４  ＧＰＳ装置（位置検出装置の一例）
１５  方向検出装置
１６ａ  デバイス登録プログラム
１７  演算処理装置（コンピューターの一例）
２１  デバイス検出部
２２  指定デバイス特定部
２３  表示制御部
２４  デバイス登録部
１０１  アイコン
【図１】
2015170051.tif 000003
【図２】
2015170051.tif 000004
【図３】
2015170051.tif 000005
【図４】
2015170051.tif 000006
【図５】
2015170051.tif 000007
【図６】
2015170051.tif 000008
【図７】
2015170051.tif 000009